(57)【特許請求の範囲】
【請求項１】
プレゼンテーション、講演会、テレビ会議又は講義等で使用されるプレゼンテーション装置（１００）であって、
コンテンツまたはプレゼンテーション内容に関連する映像、文字または／および図表等を予め収録した映像再生装置（１０）と、
手書きの文字または／および図表等を書き込みと消去が可能な液晶ディスプレイ（２０）と、
前記液晶ディスプレイ（２０）に文字または／および図表等の書き込みと消去を行うための書込消去手段（２１）と、
前記映像再生装置（１０）の再生または停止を行うリモコン装置（３０）と、
前記液晶ディスプレイ（２１）に手書きされた文字または／および図表等を記録し、かつ消去された文字または／および図表等を記録する記録装置（４０）と、
話し手と聞き手との質疑応答を含む講演会、プレゼンテーションの開始から終了までを集音・録画するビデオカメラ（５０）と、
前記ビデオカメラで集音または／および録画された内容を編集した電子記録媒体（６０）とから構成されてなり、
前記書込消去手段（２１）は、前記発光素子（Ｌ）による赤外線ビーム（ＬＢ）投射のＯＮ又はＯＦＦを行う切替スイッチ（２３ａ）を備えた伸縮自在なタッチセンサー（２３）と、発光素子（Ｌ）による赤外線ビーム（ＬＢ）照射のＯＮ又はＯＦＦを行う切替スイッチ（２３ａ）を備えた伸縮自在なタッチセンサー（２３）と、赤外線ビーム（ＬＢ）の照射・停止を感知する感知センサー（２３ｓ）と、前記液晶ディスプレイ（２０）の四隅に配設されたＣＤカメラ（ＣＡ）とからなることを特徴とするプレゼンテーション装置（１００）。
【請求項２】
前記液晶ディスプレイ（２０）は、合成樹脂膜の上に赤外線スクリーン（２２）が張設されていることを特徴とする請求項１に記載されたプレゼンテーション（１００）装置。
【請求項３】
前記赤外線スクリーン（２２）は、前記液晶ディスプレイ（２０）の上枠（２０ａ）と右枠（２０ｄ）内に配設された複数の発光素子（Ｌ）と、当該発光素子（Ｌ）から照射される赤外線ビーム（ＬＢ）を反射させる反射板（ＨＰ）とからなることを特徴とする請求項１または請求項２に記載されたプレゼンテーション装置（１００）。
【請求項４】
前記リモコン装置（３０）には、前記液晶ディスプレイ（２０）の表示画面における部分拡大または／および縮小機能を備えていることを特徴とする請求項１または請求項２のいずれかに記載されたプレゼンテーション装置（１００）。
【請求項５】
前記電子記録媒体（６０）がＣＤ（６１）またはＤＶＤ（６２）であることを特徴とする請求項１に記載されたプレゼンテーション装置（１００）。
【発明の詳細な説明】
【技術分野】
【０００１】
本発明は、プレゼンテーション装置の係り、より詳しくは、プレゼンテーションや講演会等における聴衆や出席者である聞き手が、コンテンツ（講演内容等）をより深く理解し、納得可能とすると共に、発表者や講演者等の話し手がコンテンツの質を高めたり、内容改訂等が容易なプレゼンテーション装置に関する。
【背景技術】
【０００２】
従来より、プレゼンテーション装置又はプレゼンテーションシステム等に関して、多くの提案がなされている。例えば、特許文献１（第１頁、図１参照）、特許文献２（第１頁、図１参照）である。特許文献１及び特許文献２等に開示されているように、発表者や講演者等は、スクリーンに投影された映像を指示棒等で指し示しながらプレゼンテーションを行うが、プロジェクタとスクリーンの位置関係等から投影経路にプレゼンター（発表者や講演者等）が位置することがある。その場合にプレゼンターや指示棒等が、スクリーン上に重なり影となるので、聴衆や出席者は映像が見にくいという弊害（欠点）がある。また、発表者や講演者等の話し手は、プロジェクタからの投射光が目に入り、きわめて眩しく感じるという不具合がある。
【先行技術文献】
【特許文献】
【０００３】
【特許文献１】特開２００９−３１３３４号公報
【特許文献２】特開２０００−２０７１２２号公報
【発明の概要】
【発明が解決しようとする課題】
【０００４】
本発明は、上記従来技術の不具合等を解消するために鋭意検討を重ねて本考案を創案することができた。そこで本発明が解決しようとする課題は、以下の通りである。
第１課題は、大型スクリーンやプロジェクター等を使用する講演会、プレゼンテーション、講演会等における弊害をなくし、聞き手（聴衆、出席者等）にとってコンテンツ（説明内容等）をよりよく理解可能なプレゼンテーション装置を提供することにある。
第２課題は、話し手（発表者、プレゼンター等）は、コンテンツの内容についての画像等を見ながら説明すると共に、当該画像に関する補足内容等を液晶ディスプレイ上に簡単、かつ容易に手書きで表記又は消去可能なプレゼンテーション装置を提供することにある。
第３課題は、聞き手の質問に対し、話し手は、手書きの文字または／および図表等を、タッチセンサーを介して液晶ディスプレイに書き込んだり消去して、質問者が納得できる回答が可能なプレゼンテーション装置を提供することにある。
第４課題は、重要又は強調事項等の説明に際し、話し手は文字または／および図表等を拡大または縮小できると共に、音量の強弱により聞き手の注意を喚起して、重要又は強調事項を確認させることが可能なプレゼンテーション装置を提供することにある。
第５課題は、話し手は、コンテンツの内容修正や改訂が容易であり、かつその質の向上が図れるプレゼンテーション装置を提供することにある。
第６課題は、プレゼンテーション、講演会等におけるコンテンツの映像を含む聞き手と話し手との質疑応答を同時収録し、その収録媒体を希望者に頒布可能なプレゼンテーション装置を提供することにある。
【課題を解決するための手段】
【０００５】
課題を解決するための手段は、本願の「特許請求の範囲」の各請求項に記載の発明である。
特許請求の範囲、明細書、図面等の用語の解釈上の疑義を解消すべく、以下用語の説明を行うこととする。
＊＊＊＊＊＊＊＊＊＊＊＊＊＊＊＊＊＊＊＊＊＊＊＊＊＊＊＊＊＊＊＊＊＊＊＊
＜用語の説明＞
○プレゼンテーションとは、例えば、講演会場等で開発製品、研究成果又は計画提案等の情報あるいは講義内容等を発表者、講演者または司会者等が聴衆に向けて発表、伝達することをいう。
○話し手とは、プレゼンテーションを行う伝達者（発表者、講演者、司会者等）をいう。プレゼンターと称する場合もある。
○聞き手とは、プレゼンテーションの聴衆、出席者等をいう。
○コンテンツとは、話し手が聞き手に伝える説明内容をいう。
○映像再生装置とは、コンテンツに関する文字情報、静止画像又は／及び動画像等を予め収録したＶＴＲ、液晶ディスプレイ、タッチセンサー等からなる装置をいう。
○書込消去手段とは、発光素子による赤外線ビーム照射のＯＮ又はＯＦＦを行う切替スイッチを備えた伸縮自在なタッチセンサーと、赤外線ビームの照射・停止を感知する感知センサーと、液晶ディスプレイの四隅に配設されたＣＤカメラとから構成されている。
○合成樹脂膜とは、液晶ディスプレイを構成する部材の総称で、偏向フィルター、ガラス基盤、カラーフィルター及び液晶層等から構成されている。
○収録媒体とは、プレゼンテーション等の発表内容等を記録するパソコンや集音、録画した、ＣＤ、ＤＶＤ等の電子記録媒体をいう。
○赤外線スクリーンとは、液晶ディスプレイ上の赤外線スクリーンに手書きの文字、図表等を表示するための表示面をいう。枠体内に配設された複数の発光素子と当該発光素子から照射される赤外線ビームを反射させる反射板とからなる。
○タッチセンサーとは、液晶ディスプレイ上に手書きの文字、図表等を手書きで表示したり、消去するための伸縮可能な棒状体をいう。発光素子による赤外線ビーム照射のＯＮ又はＯＦＦを行う切替スイッチとを備えている。
＊＊＊＊＊＊＊＊＊＊＊＊＊＊＊＊＊＊＊＊＊＊＊＊＊＊＊＊＊＊＊＊＊＊＊＊
課題を解決するための手段は、本願の「特許請求の範囲」の各請求項に記載の発明であり、その具体的な解決手段は、以下の通りである。
なお、本手続補正書による補正後の請求項（新請求項ともいう。）は、特許請求範囲に記載の請求項１〜５をいい、本手続補正書による補正後の明細書に記載の請求項１〜６は、補正前の請求項１〜６（旧請求項１〜６ともいう。）をいうものとする。
すなわち、本補正書による補正後の特許請求の範囲、及び、明細書において、特に断らない限り、新請求項、旧請求項の表示は特にせず、特許請求の範囲に記載の請求項１〜５、は新請求項１〜５をいい、明細書に記載の請求項１〜６は、旧請求項１〜６をいうものとする。
新請求項１は旧請求項４（旧請求項４は、旧請求項の従属請求項）に相当し、
新請求項２、３は、それぞれ旧請求項２、３に相当し、
新請求項４、５は、それぞれ旧請求項５、６に相当する。
ここに、新請求項１記載発明は、旧請求項１と旧請求項４についての記載内容が、新請求項１について記載された内容となる点留意すべきである。
○第１の発明（請求項１に記載の発明）
上記の課題を解決するための第１の発明（請求項１に記載の発明）は、プレゼンテーション、講演会、テレビ会議又は講義等で使用されるプレゼンテーション装置（１００）であって、コンテンツまたはプレゼンテーション内容に関連する映像、文字または／および図表等を予め収録した映像再生装置（１０）と、手書きの文字または／および図表等を書き込みと消去が可能な液晶ディスプレイ（２０）と、
前記液晶ディスプレイ（２０）に文字または／および図表等の書き込みと消去を行うための書込消去手段（２１）と、前記映像再生装置（１０）の再生または停止を行うリモコン装置（３０）と、前記液晶ディスプレイ（２１）に手書きされた文字または／および図表等を記録し、かつ消去された文字または／および図表等を記録する記録装置（４０）と、話し手と聞き手との質疑応答を含む講演会、プレゼンテーションの開始から終了までを集音・録画するビデオカメラ（５０）と、前記ビデオカメラで集音または／および録画された内容を編集した電子記録媒体（６０）と、
から構成されたことを特徴とするプレゼンテーション装置である。
○第２の発明（請求項２に記載の発明）
上記の課題を解決するための第２の発明（請求項２に記載の発明）は、前記液晶ディスプレイ（２０）は、合成樹脂膜（２０Ｍ）の上に赤外線スクリーン（２２）が張設されていることを特徴とする請求項１に記載されたプレゼンテーション装置である。
○第３の発明（請求項３に記載の発明）
上記の課題を解決するための第３の発明（請求項３に記載の発明）は、前記赤外線スクリーン（２２）は、前記液晶ディスプレイ（２０）の上枠（２０ａ）と右枠（２０ｄ）内に配設された複数の発光素子（Ｌ）と、当該発光素子（Ｌ）から照射される赤外線ビーム（ＬＢ）を反射させる反射板（ＨＰ）とからなることを特徴とする請求項１または請求項２に記載されたプレゼンテーション装置（１００）である。
○第４の発明（請求項４に記載の発明）
上記の課題を解決するための第４の発明（請求項４に記載の発明）は、前記書込消去手段（２１）は、前記発光素子（Ｌ）による赤外線ビーム（ＬＢ）照射のＯＮ又はＯＦＦを行う切替スイッチ（２３ａ）を備えた伸縮自在なタッチセンサー（２３）と、発光素子（Ｌ）による赤外線ビーム（ＬＢ）照射のＯＮ又はＯＦＦを行う切替スイッチ（２３ａ）を備えた伸縮自在なタッチセンサー（２３）と、赤外線ビーム（ＬＢ）の照射・停止を感知する感知センサー（２３ｓ）と、前記液晶ディスプレイ（２０）の四隅に配設されたＣＤカメラ（ＣＡ）とからなることを特徴とする請求項１、請求項２または請求項３のいずれかに記載されたプレゼンテーション（１００）装置である。
○第５の発明（請求項５に記載の発明）
上記の課題を解決するための第５の発明（請求項５に記載の発明）は、前記リモコン装置（３０）には、前記液晶ディスプレイ（２０）の表示画面における部分拡大または／および縮小機能を備えていることを特徴とする請求項１または請求項２のいずれかに記載されたプレゼンテーション装置（１００）である。
○第６の発明（請求項６に記載の発明）
上記の課題を解決するための第６の発明（請求項６に記載の発明）は、前記電子記録媒体（６０）がＣＤ（６１）またはＤＶＤ（６２）であることを特徴とする請求項１に記載されたプレゼンテーション装置（１００）である
【発明の効果】
【０００６】
本発明に係る発明は、上記のような特徴的構成要件から構成されたプレゼンテーション装置によって、本願発明の課題を十分解決することができた。
●第１の発明の効果
第１の発明によれば、第１の発明の特徴的構成要件により、本発明が解決しようとする第１課題を解決することができた。
すなわち、大型スクリーンやプロジェクター等を使用する講演会、プレゼンテーション、講演会等における弊害をなくし、聞き手（聴衆、出席者等）にとってコンテンツ（説明内容等）をよりよく理解可能なプレゼンテーション装置を提供することができ、当業者予測が不可能な顕著な効果を奏することができた。
●第２および第３の発明の効果
第２および第３の発明によれば、第２および第３の発明の特徴的構成要件により、本発明が解決しようとする第２課題を解決することができた。すなわち、話し手（発表者、プレゼンター等）は、コンテンツの内容についての画像等を見ながら説明すると共に、当該画像に関する補足内容等を液晶ディスプレイ上に簡単、かつ容易に手書きで表記又は消去可能なプレゼンテーション装置を提供することにある。
●第４の発明の効果
第４の発明によれば、第４の発明の特徴的構成要件により、本発明が解決しようとする第３課題を解決することができた。
すなわち、聞き手の質問に対し、話し手は、手書きの文字または／および図表等を、タッチセンサーを介して液晶ディスプレイに書き込んだり消去して、質問者が納得できる回答が可能なプレゼンテーション装置を提供することができ、当業者予測が不可能な顕著な効果を奏することができた。
●第５の発明の効果
第５の発明によれば、第５の発明の特徴的構成要件により、本発明が解決しようとする第４課題を解決することができた。
すなわち、重要又は強調事項の説明に際し、話し手は文字または／および図表等を拡大または縮小できると共に、音量の強弱により聞き手の注意を喚起して、重要又は強調事項を確認させることが可能なプレゼンテーション装置を提供することができ、当業者予測が不可能な顕著な効果を奏することができた。
●第６の発明の効果
第６の発明によれば、第６の発明の特徴的構成要件により、本発明が解決しようとする第５課題及び第６課題を併せて解決することができた。
すなわち、話し手は、コンテンツの内容修正や改変が容易であり、かつその質の向上が図れるプレゼンテーション装置を提供することができ、また、プレゼンテーション、講演会等におけるコンテンツの映像を含む聞き手と話し手との質疑応答を同時収録し、その収録媒体を希望者に頒布可能なプレゼンテーション装置を提供することができ、当業者予測が不可能な顕著な効果を奏することができた。
【発明を実施するための最良の形態】
【０００７】
以下、本発明に係るプレゼンテーション装置に関する最良の実施形態について、図面を参照しながら説明する。
［図１］は、本発明に係るプレゼンテーション装置の全体的な構成を示す正面図である。
［図２］は、液晶ディスプレイの正面図である。
［図３］は、図２における３−３線拡大省略断面図である。
［図４］は、タッチセンサーの斜視図である。
［図５］は、電子記録媒体を示す斜視図で、（ａ）はＣＤ、（ｂ）はＤＶＤである。
１１１１１＊＊＊＊＊＊＊＊＊＊＊＊＊＊＊＊＊＊＊＊＊＊＊＊＊＊＊＊＊＊＊●図１は、本発明に係るプレゼンテーション装置１００の全体的な構成を示すもので、プレゼンテーション装置１００は、コンテンツまたはプレゼンテーション内容に関連する映像、文字または／および図表Ｍ等を予め収録した映像再生装置１０と、手書きの文字または／および図表Ｍ等を書き込みと消去が可能な液晶ディスプレイ２０と、前記液晶ディスプレイ２０に文字または／および図表Ｍ等の書き込みと消去を行うための書込消去手段２１と、映像再生装置１０の再生または停止を行うリモコン装置３０と、液晶ディスプレイ２０に手書きされた文字または／および図表Ｍ等を記録し、かつ消去された文字または／および図表Ｍ等を記録する記録装置４０と、話し手Ｘと聞き手（不図示）との質疑応答を含む講演会、プレゼンテーションの開始から終了までを集音・録画するビデオカメラ５０と、当該ビデオカメラ５０で集音または／および録画された内容を編集した電子記録媒体６０（図４、参照）とから構成されていることを特徴とするプレゼンテーション装置が開示されている（図１、参照）。ＰＮはコンテンツのページ番号で、２５はＣＤカメラ、７０は映像再生装置１０、ビデオカメラ５０等の遠隔制御装置である。
●上記のような特徴的構成要件としたことにより、大型スクリーンやプロジェクター等を使用する講演会、プレゼンテーション、講演会等における弊害をなくし、聞き手（聴衆、出席者等）にとってコンテンツ（説明内容等）をよりよく理解可能なプレゼンテーション装置１００を提供することができ、当業者の予測が不可能な顕著な効果を奏することができた。
２２２２２＊＊＊＊＊＊＊＊＊＊＊＊＊＊＊＊＊＊＊＊＊＊＊＊＊＊＊＊＊＊＊
図２および図３は、液晶ディスプレイ２０を示している。液晶ディスプレイ２０は、上枠２０ａ、下枠２０ｂ、左枠２０ｃおよび右枠２０ｄによって保持されている。上枠２０ａおよび右枠２０ｄ内には複数の発光素子Ｌが配設され、上枠２０ａおよび右枠２０ｄに対面する下枠２０ｂおよび左枠２０ｃには、発光素子Ｌから照射される赤外線ビームＬＢを反射させる反射板ＨＰがそれぞれ取り付けられている。赤外線スクリーン２２は、図２および図３に示すように、偏向フィルター２０ｆ、ガラス基盤２０ｇ、カラーフィルター２０ｃｆ及び液晶層（不図示）等からなる合成樹脂膜２０Ｍの上に張設されるもので、上枠２０ａから下枠２０ｂに向けて照射され、これを反射板ＨＰで反射する赤外線ビームＬＢと、右枠２０ｄから左枠２０ｃに向けて照射され、これを反射板ＨＰで反射する赤外線ビームＬＢとが交差して形成される。
●上記のような特徴的構成要件としたことにより、話し手（発表者、プレゼンター等）は、コンテンツの内容についての画像等を見ながら説明すると共に、当該画像についての補足内容等を液晶ディスプレイ上に簡単、かつ容易に手書きで表記又は消去可能なプレゼンテーション装置を提供することができ、当業者の予測が不可能な顕著な効果を奏することができた。
３３３３３＊＊＊＊＊＊＊＊＊＊＊＊＊＊＊＊＊＊＊＊＊＊＊＊＊＊＊＊＊＊＊
図４は、書込消去手段２１の一部材であるタッチセンサー２３を示している。タッチセンサー２３は、赤外線スクリーン２２上に手書きで文字または／および図表Ｍ等を書込んだり、消去するための器具であり、矢印で示すように伸縮自在の棒状体となっている。またタッチセンサー２３は、発光素子Ｌによる赤外線ビームＬＢ照射のＯＮ又はＯＦＦを行う切替スイッチ２３ａを備えている。文字または図表Ｍ等を手書きするには、タッチセンサー２３の把持部２３ｈを片手で把持し、先端部２３ｂを液晶ディスプレイ２０の赤外線スクリーン２２に接触２３Ｘ（図１、参照）させると、液晶ディスプレイ２０の枠体２０ａ、２０ｂ等の内隅部に配設されたＣＤカメラ２５がこれを感知し、先端部２３ｂの接触部２３Ｘは、赤外線２２ａおよび２２ｂの放射が阻止され、接触部２３Ｘの移動に伴って文字または／および図表Ｍ等を書込むことができる。手書きされた文字または図表Ｍ等を消去するには、タッチセンサー２３の先端部２３ｂを上枠２０ａまたは下枠２０ｂに配設している感知センサー２３ｓに向け、把持部２３ｈの切替スイッチ２３ａを親指等で押せば、感知センサー２３ｓがこれを感知して発光素子Ｌによる赤外線ビームＬＢの照射がＯＦＦとなり、赤外線スクリーン２２上の文字または図表Ｍ等は全て消去される。そしてさらに切替スイッチ２３ａを親指等で押せば、赤外線ビームＬＢの照射はＯＮとなり、赤外線スクリーン２２は再生され、文字または図表Ｍ等を書き込むことが可能となる。
●上記のような特徴的構成要件としたことにより、聞き手の質問に対し、話し手Ｘは、手書きの文字または／および図表Ｍ等を液晶ディスプレイ２０に表示して聞き手の質問者が納得できる回答を行うプレゼンテーション装置１００を提供することができ、当業者の予測が不可能な顕著な効果を奏することができた。
４４４４４＊＊＊＊＊＊＊＊＊＊＊＊＊＊＊＊＊＊＊＊＊＊＊＊＊＊＊＊＊＊＊
図１に示す３０は、話し手Ｘがプレゼンテーション等で使用するリモコン装置で、
当該リモコン装置３０には、液晶ディスプレイ２０の表示画面（赤外線スクリーン２２）における部分拡大または／および縮小機能を備えていると共に、表示画面（赤外線スクリーン２２）における部分拡大または／および縮小機能を備えている。さらに液晶ディスプレイ２０の画面に表示されているコンテンツのページ番号ＰＮを改ページすることもできる。
●上記のような特徴的構成要件としたことにより、重要又は強調事項の説明に際し、話し手Ｘは文字または／および図表Ｍ等を拡大または縮小できると共に、音量の強弱により聞き手の注意を喚起して、重要又は強調事項を確認させることが可能なプレゼンテーション装置１００を提供することができ、当業者予測が不可能な顕著な効果を奏することができた。
５５５５５＊＊＊＊＊＊＊＊＊＊＊＊＊＊＊＊＊＊＊＊＊＊＊＊＊＊＊＊＊＊＊
図５は、電子記録媒体６０を示し、６１はＣＤ、６２はＤＶＤである。ＣＤ６１、ＤＶＤ６２およびビデオカメラ５０（図１、参照）等によって、プレゼンテーション等におけるプレゼンターの発表内容や、聞き手との質疑応答等を集音、録画することができる。
●上記のような特徴的構成要件としたことにより、話し手は、コンテンツの内容修正や改訂が容易であり、かつその質の向上が図れるプレゼンテーション装置１００を提供することができ、また、プレゼンテーション、講演会等におけるコンテンツの映像を含む聞き手と話し手Ｘとの質疑応答を同時収録し、その収録媒体を希望者に頒布可能なプレゼンテーション装置１００を提供することができ、当業者予測が不可能な顕著な効果を奏することができた。
【０００８】
次に本願発明の、プレゼンテーション装置１００の使用態様における、液晶ディスプレイ２０への手書きによる文字または図表Ｍの書き込みと消去について説明する。図１に示す映像再生装置１０の液晶ディスプレイ２０にコンテンツの映像が映し出されると、話し手Ｘは、片手にリモコン装置３０、他方の手にタッチセンサー２３を把持して演壇に登場し、例えば、話し手Ｘが開発した新製品について、その内容について液晶ディスプレイ２０の第１頁に表示された映像を参照して説明するが、映像について補足説明が必要と考えたときは、赤外線スクリーン２２にタッチセンサー２３の先端部２３ｂを液晶ディスプレイ２０の赤外線スクリーン２２に接触２３Ｘ（図１、参照）させると、液晶ディスプレイ２０の枠体２０ａ、２０ｂ等の内隅部に配設されたＣＤカメラ２５がこれを感知し、先端部２３ｂの接触部２３Ｘは、赤外線２２ａおよび２２ｂの放射が阻止され、接触部２３Ｘの移動に伴って文字または／および図表Ｍ等を書込むことができる。手書きされた文字または図表Ｍ等を消去するには、タッチセンサー２３の先端部２３ｂを上枠２０ａまたは下枠２０ｂに配設している感知センサー２３ｓに向け、把持部２３ｈの切替スイッチ２３ａを親指等で押せば、感知センサー２３ｓがこれを感知して発光素子Ｌによる赤外線ビームＬＢの照射がＯＦＦとなり、赤外線スクリーン２２上の文字または図表Ｍ等は全て消去することができる。
【産業上の利用可能性】
【０００９】
本願発明に係るプレゼンテーション装置１００は、各種の新製品開発のプレゼンテーション、研究成果発表、各種セミナー、大学等の講義、企業内企画会議または遠隔地間の情報分析会議等々、幅広く活用できる有意義な発明である。
【図面の簡単な説明】
【００１０】
【図１】は、本発明に係るプレゼンテーション装置の全体的な構成を示す正面図である。
【図２】は、液晶ディスプレイの正面図である。
【図３】は、図２における３−３線拡大省略断面図である。
【図４】は、タッチセンサーの斜視図である。
【図５】は、電子記録媒体を示す斜視図で、（ａ）はＣＤ、（ｂ）はＤＶＤである。
【符号の説明】
【００１１】
Ｘ…話し手
Ｍ…手書き文字または／および図表
Ｌ…発光素子
ＬＢ…赤外線ビーム
１００…プレゼンテーション装置
１０…映像再生装置
２０…液晶ディスプレイ
２０Ｍ…合成樹脂膜
２１…書込消去手段
２２…赤外線スクリーン
２３…タッチセンサー
２３ａ、２３ｂ…感知センサー
２５…ＣＤカメラ
３０…リモコン装置
４０…記録装置
５０…ビデオカメラ
６０…電子記録媒体
６１…ＣＤ
６２…ＤＶＤ
７０…遠隔制御装置
【要約】      （修正有）【課題】大型スクリーンやプロジェクター等を使用する講演会、プレゼンテーション、講演会等において、聞き手にとって説明内容等をよりよく理解可能なプレゼンテーション装置の提供。【解決手段】プレゼンテーション内容に関連する映像、文字、図表等を予め収録した映像再生装置１０と、手書きの文字、図表等を書き込みと消去が可能な液晶ディスプレイ２０と、液晶ディスプレイに文字、図表等の書き込みと消去を行うための書込消去手段２１と、映像再生装置の再生または停止を行うリモコン装置３０と、液晶ディスプレイに手書きされた文字、図表等を記録し、かつ消去された文字、図表等を記録する記録装置４０と、話し手と聞き手との質疑応答を含む講演会、プレゼンテーションの開始から終了までを集音・録画するビデオカメラと、前記ビデオカメラで集音または／および録画された内容を編集した電子記録媒体とから構成されているプレゼンテーション装置１００。【選択図】図１【図１】
0005451864.tif 000002
【図２】
0005451864.tif 000003
【図３】
0005451864.tif 000004
【図４】
0005451864.tif 000005
【図５】
0005451864.tif 000006